(57)【特許請求の範囲】
【請求項１】
複数のフレーム体の溶接結合により構成されたスキャナフレームと、
光学系が搭載される走行枠の走行動作を案内する走行面を有し、この走行面に直交する取付面が前記スキャナフレームの内側面に密着状態で取り付けられるレール部材とを備え、
前記スキャナフレームには、前記複数のフレーム体を溶接結合させる際に前記複数のフレーム体を支持する所定の溶接治具に対する位置決めを行うための位置決め穴が、前記レール部材の前記取付面が密着する領域内に形成され、前記レール部材が取り付けられることにより前記取付面で閉塞されることを特徴とするスキャナユニット。
【発明の詳細な説明】
【０００１】
【発明の属する技術分野】
本発明は、画像読取装置の原稿画像を読み取るスキャナユニットの構造に関する。
【０００２】
【従来の技術】
例えば複写機やファクシミリ装置の原稿画像を読み取るスキャナユニットは、スキャナフレームと、原稿を照射する光源やその反射光を感光体ドラム等に導くためのミラーを有してなる光学系を搭載する走行枠と、この走行枠の走行動作を案内するレール部材とを備えて構成されている。
【０００３】
【発明が解決しようとする課題】
ところで、上記のスキャナフレームは、フレーム剛性向上等の点から、複数のフレーム体を溶接して作成される場合がある。この場合、フレーム体を位置決めするための溶接治具が用いられ、スキャナフレームにはその溶接治具に形成された位置決めピンに嵌合する位置決め穴が形成されて、スキャナフレームを溶接治具に位置決めした状態で溶接が行われる。
【０００４】
一方、スキャナフレーム内に配設されたミラー等は埃等の異物の影響を受けやすいので、スキャナフレーム内への異物の侵入を防止することが求められる。
【０００５】
しかし、従来のスキャナフレームにあっては、上記の位置決め穴からの異物侵入に対する対策が講じられていなかったので、この位置決め穴からスキャナフレーム内に異物が侵入する虞があった。なお、上記の位置決め穴をテーピング等により塞ぐことも考えられるが、その分、工数や部品点数が増加することになる。
【０００６】
本発明は、上記に鑑みてなされたもので、画像読取装置のスキャナユニットを構成するスキャナフレームにおいて、工数や部品点数を増加させることなく、上記位置決め穴からの異物侵入を防止することを目的とする。
【０００７】
【課題を解決するための手段】
請求項１に記載の発明は、複数のフレーム体の溶接結合により構成されたスキャナフレームと、光学系が搭載される走行枠の走行動作を案内する走行面を有し、この走行面に直交する取付面が前記スキャナフレームの内側面に密着状態で取り付けられるレール部材とを備え、前記スキャナフレームには、前記複数のフレーム体を溶接結合させる際に前記複数のフレーム体を支持する所定の溶接治具に対する位置決めを行うための位置決め穴が、前記レール部材の前記取付面が密着する領域内に形成され、前記レール部材が取り付けられることにより前記取付面で閉塞されることを特徴とするものである。
【０００８】
この発明によれば、複数のフレーム体を溶接結合させる際に前記複数のフレーム体を支持する所定の溶接治具に対する位置決めを行うための位置決め穴を、前記レール部材の前記取付面が密着する領域内に形成し、前記レール部材が取り付けられたときに前記取付面で位置決め穴が閉塞されるようにしたので、位置決め穴からスキャナフレーム内への異物侵入が防止される。また、走行枠の走行動作を案内するレール部材に、位置決め穴を閉塞する機能を兼用させるようにしたので、異物の侵入防止を実現することによる工数や部品点数の増加が回避される。
【０００９】
【発明の実施の形態】
以下、本発明に係るスキャナユニットを備える画像読取装置を複写機に適用した一実施形態について、その全体的な構成を説明した後、本発明の特徴部分について説明する。
【００１０】
図１は、複写機１の外観構成を示す斜視図、図２は複写機１の概略構成を示す模式図である。なお、以下の説明においては、複写機１の通常の操作位置からみて（図１の矢印Ａの方向から見て）手前側を複写機の前方というものとする。
【００１１】
図１に示すように、複写機１は、装置本体２と、装置本体２の上部に開閉自在に装着された原稿押さえ３とを有している。装置本体２は、本体ハウジング４とその上部に載置された上ハウジング５で区画されており、本体ハウジング４と上ハウジング５の中間部には、本体ハウジング４から用紙Ｐが左側方から右側方に向けて排出される用紙排出部６が形成されている。
【００１２】
図２に示すように、上ハウジング５には、画像読取り位置において原稿を露光走査して画像の読取り行う画像読取部７が内蔵されている。画像読取部７は、略直方形状のスキャナフレーム８（図３参照）内に、露光ランプ９やミラー１０，１１を備えてなる光学系を搭載した第１、第２走行枠１２，１３、レンズ１４、ＣＣＤラインセンサ１５、第１、第２走行枠１２，１３の走行動作を誘導する断面コ字型のレール部材１６等を備えて構成されている。
【００１３】
第１走行枠１２は、原稿に光を照射する露光ランプ９と、原稿からの反射光を第２走行枠１３へ反射するミラー１０とを有してなり、第２走行枠１３は、第１走行枠１２からの反射光をＣＣＤラインセンサ１５に向けて反射するミラー１１を有してなる。
【００１４】
図略の駆動部により第１、第２走行枠１２，１３を所定の速度で図２の左右方向に往復動させつつ、コンタクトガラス１８上に載置された原稿に露光ランプ９で光を照射し、その反射光をレンズ１４を介してＣＣＤラインセンサ１５に導くことにより、原稿全面の画像情報を読み取る。
【００１５】
図１、図２に示すように、本体ハウジング４は、下部に配設された給紙部１９と、この給紙部１９の上方に配設された第１用紙搬送部２０と、第１用紙搬送部２０の上方に配設された画像形成部２１と、この画像形成部２１よりも用紙搬送方向下流側に配設された定着部２２とを内蔵する下ハウジング２３と、定着後の用紙を搬送して用紙排出部６に排出するための第２用紙搬送部２４を内蔵する連結ハウジング２５で区画されている。
【００１６】
給紙部１９は、給紙カセット２６に積層載置された用紙Ｐを給紙ローラ２７の回転動作によって給紙カセット２６の出口側（図１の左側）に送り出すと共に、給紙カセット２６の幅方向両端上部に設けられた図略のさばき爪によってさばくことにより、最上位置の用紙Ｐを１枚ずつ用紙搬送部２０に給紙するものである。
【００１７】
第１用紙搬送部２０は、給紙部１９から給紙された用紙を搬送ローラ対２８、レジストローラ対２９、転写前ガイド３０によって画像形成部２１に向けて搬送するものである。
【００１８】
画像形成部２１は、回転可能に軸支された光導電性を有する感光体ドラム３１と、この感光体ドラム３１の周囲にその回転方向に沿って、帯電器３２、レーザ走査ユニット（ＬＳＵ）３３、現像部３４、転写器３５、クリーニング部３６及び除電ランプ３７とを備え、電子写真プロセスによって感光体ドラム３１上に所定のトナー像を形成し、そのトナー像を用紙に転写するものである。
【００１９】
帯電器３２は、感光体ドラム３１を一定極性（本実施形態では正極性）に帯電させるものである。
【００２０】
レーザ走査ユニット（ＬＳＵ）３３は、画像読取部７によって読み取られた原稿の画像データに応じて強弱がつけられたレーザ光をレーザ発光器３８から出力し、ポリゴンミラー３９及び反射鏡４０を介して、正極性に帯電している感光体ドラム３１の露光領域に照射するものである。この照射されたレーザ光により、感光体ドラム３１の表面電位を画像に応じて減少させて、この感光体ドラム３１の表面に、原稿画像データに応じた静電潜像を形成させる。この光照射は、ポリゴンミラー３９の回転によって、帯電器３２と現像部３４の間の露光領域へ、回転する感光体ドラム３１の幅方向に繰り返して走査される。
【００２１】
現像部３４は、レーザ光により感光体ドラム３１上の正電荷の減少した（電位の減少した）静電潜像の部分に、現像領域において同極、即ち正帯電したトナーを付着させるものである。これにより、感光体ドラム３１上に形成されていた静電潜像がトナーにより現像されて、感光体ドラム３１の表面に可視像としてトナー像が形成される。
【００２２】
転写器３５は、感光体ドラム３１の転写領域に配置された転写ローラ４１により、用紙の裏面から負のコロナ放電を行って、感光体ドラム３１上に形成されているトナー像を静電的に用紙上に転写させるものである。
【００２３】
クリーニング部３６は、図略のクリーニングブレードの先端部を図略の付勢手段の付勢力により感光体ドラム３１の表面に付勢し、転写後の感光体ドラム３１の表面に付着している残留トナーを掻き落とすものである。
【００２４】
除電ランプ３７は、詳細には図示しないが、感光体ドラム３１の幅方向全域に渡って複数個のＬＥＤランプが１列または複数列に並んでアレイ状に構成されており、ＬＥＤランプ光を感光体ドラム３１の表面に照射して、感光体ドラム３１の残留電荷を除去するものである。
【００２５】
定着部２２は、画像形成部２１の用紙搬送方向の下流側に配置され、画像形成部２１においてトナー像が転写された用紙を、内部にヒータを有する加熱ローラ４２と、この加熱ローラ４２に押し付けられる加圧ローラ４３とで挟んで熱加圧し、用紙上にトナー像を溶着させて定着させるものである。
【００２６】
第２用紙搬送部２４は、画像形成部２１で画像形成された用紙Ｐを、定着部２２から排出ローラ対４４を介して用紙排出部６に排出するものである。
【００２７】
次に、本発明に係る部分について説明する。
【００２８】
図３は、画像読取部７に備えられるスキャナフレーム８の全体斜視図である。
【００２９】
図３に示すように、スキャナフレーム８の前後側板８１，８２の内面には、断面コ字型のレール部材１６が取り付けられている。レール部材１６が有する３つの面のうち、平行な２つの面１６ａ，１６ｂ（図４参照）が第１、第２走行枠１２，１３を往復走行させる走行面（以下、走行面１６ａ，１６ｂという）とされているとともに、残りの面１６ｃ（図４参照）がスキャナフレーム８の前後側板８１，８２の内面に密着する取付面（以下、取付面１６ｃという）とされ、レール部材１６がスキャナフレーム８の前後側板８１，８２にネジ１７により略水平に取り付けられている。図３に示す穴８１ａ，８２ａは、このネジ１７が螺合されるネジ穴であり、前後側板８１，８２の左右両側に形成されている。
【００３０】
図４は、スキャナフレーム８及びレール部材１６の断面図である。
【００３１】
図４に示すように、スキャナフレーム８の前後側板８１，８２の内面適所には、レール部材１６をスキャナフレーム８に取り付ける際に、前後側板８１，８２に対するレール部材１６の位置決めを行うべく、円柱部を有して突出するボス部８ｃが形成されている一方、レール部材１６には上記ボス部８ｃの円柱部と略同径の円形穴部１６ｄが形成されており、ボス部８ｃと円形穴部１６ｄとの嵌合により、前後側板８１，８２に対するレール部材１６の位置決めが行われるようになっている。
【００３２】
スキャナフレーム８は、図５に示すように、フレーム体が溶接治具４５に固定された状態で溶接されることにより作成される。なお、説明の便宜上、フレーム体には、スキャナフレームと同じ番号「８」を付すものとする。
【００３３】
図５に示すように、溶接治具４５は、基台４５１上に取付固定されたシリンダ４５２と、シリンダ４５２のロッド４５２ａ先端に取り付けられた直方形状のワーク４５３を有する位置決めユニット４５４が、フレーム体８の前後側板８１，８２に対応して設けられており、ワーク４５３のフレーム体８に対向する面には、フレーム体８の位置決めを行うための位置決め用ブロック４５３ａと位置決めピン４５３ｂとが取り付けられている。一方、図３、図５に示すように、フレーム体８の前後側板８１，８２には、溶接治具４５の位置決めピン４５３ｂに対応する位置決め穴８１ｂ，８２ｂが形成されている。
【００３４】
そして、フレーム体８の溶接が行われる際には、フレーム体８が溶接治具４５の基台４５１上に載置され、シリンダ４５２のロッド４５２ａが突出して、溶接治具４５の位置決めピン４５３ｂがフレーム体８の位置決め穴８１ｂ，８２ｂにそれぞれ嵌合されるとともに、位置決め用ブロック４５３ａがフレーム体８の前後側板８１，８２外面に押し付けられる。これにより、フレーム体８が溶接治具４５に位置決めされる。
【００３５】
このように、前後側板８１，８２に位置決め穴８１ｂ，８２ｂが形成されるスキャナフレーム８にあっては、この位置決め穴８１ｂ，８２ｂから埃等の異物が侵入する虞がある。
【００３６】
そこで、上述したように、前後側板８１，８２には断面コ字型のレール部材１６が密着して取り付けられることから、本実施形態では、図３に示すように、ネジ穴８１ａ，８２ａ、ボス部８ｃ及び位置決め穴８１ｂ，８２ｂを一直線上に並べて設けるとともに、スキャナフレーム８の前後側板８１，８２のうちレール部材１６が密着する部位に上記位置決め穴８１ｂ，８２ｂを形成し、図６に示すように、レール部材１６をスキャナフレーム８の前後側板８１，８２に取り付ける際に、レール部材１６の取付面１６ｃで位置決め穴８１ｂ，８２ｂを閉塞するようにしている。
【００３７】
このように、位置決め穴８１ｂ，８２ｂにテーピング等、新たな部材を用いて異物の侵入を防止する構成ではなく、第１、第２走行枠１２，１３を走行させるためのレール部材１６に、位置決め穴８１ｂ，８２ｂを閉塞する機能を兼用させる構成とすることで、工数や部品点数の増加を回避しつつ、位置決め穴８１ｂ，８２ｂからスキャナフレーム８内へ埃等の異物が侵入するのを防止することができる。
【００３８】
なお、上記実施形態では、レール部材１６の取付面１６ｃで位置決め穴８１ｂ，８２ｂを閉塞するようにしたが、図７に示すように、開口側を下向きにして位置決め穴８１ｂ，８２ｂを閉塞するようにしてもよい。また、走行枠の走行動作を誘導するレール部材として、上記実施形態では断面コ字型に形成したものを用いたが、図８に示すように、例えば断面Ｌ字型に形成したものでもよい。
【００３９】
また、上記実施形態では、本発明を複写機のスキャナユニットに適用したが、これに限らず、ファクシミリ装置やスキャナ装置などの画像読取装置に備えられるスキャナユニットに適用することができる。
【００４０】
【発明の効果】
本発明によれば、複数のフレーム体を溶接結合させる際に前記複数のフレーム体を支持する所定の溶接治具に対する位置決めを行うための位置決め穴を、前記レール部材の前記取付面が密着する領域内に形成し、前記レール部材が取り付けられたときに前記取付面で位置決め穴が閉塞されるようにしたので、工数や部品点数の増加を回避しながら、位置決め穴からスキャナフレーム内への異物侵入を防止することができる。
【図面の簡単な説明】
【図１】複写機の外観構成を示す斜視図である。
【図２】複写機の概略構成を示す模式図である。
【図３】画像読取部に備えられるスキャナフレームの全体斜視図である。
【図４】スキャナフレーム及びレール部材の断面図である。
【図５】溶接治具の概略平面図である。
【図６】本発明の特徴部分を示す説明図である。
【図７】レール部材の取付についての他の実施形態を示す断面図である。
【図８】レール部材の形状についての他の実施形態を示す断面図である。
【符号の説明】
７  画像読取部
８  スキャナフレーム
８１ｂ，８２ｂ  位置決め穴
４５  溶接治具
４５３ｂ  位置決めピン
１２，１３  第１、第２走行枠
１６  レール部材
【図１】
0003564443.tif 000002
【図２】
0003564443.tif 000003
【図３】
0003564443.tif 000004
【図４】
0003564443.tif 000005
【図５】
0003564443.tif 000006
【図６】
0003564443.tif 000007
【図７】
0003564443.tif 000008
【図８】
0003564443.tif 000009